(57)【要約】【課題】  従来の封緘葉書用シールシートは手書きでの記載は容易であるものの、基体シートの外面に個人的に汎用性の高いオンデマンド印刷方法で使用できるものではなく、基体シートの外面を有効に活用できていなかった。【解決手段】  本考案は、インクジェット若しくは電子写真方式で記録可能な基体シートを使用するため、封緘している面の上に汎用性の高いオンデマンド印刷方法で情報を記録可能であると同時に、封緘を除去した後も基体シート上の記録内容が保存される。また葉書の内容を受取人以外の第三者に判読できず、途中で開封されたか否か判断できるという、優れた特長を有している。【選択図】図１
0003123246.tif 000002
【実用新案登録請求の範囲】
【請求項１】
基体シート１の片面に、着色剤と無機フィラーにより着色されている溶融押し出し樹脂層２を設け、さらに疑似接着層３、粘着剤層若しくは接着剤層４、必要に応じて剥離シート５を設けた封緘葉書用シールシートにおいて、基体シート１がインクジェット若しくは電子写真方式で記録可能なことを特徴とする封緘葉書用シールシート。
【請求項２】
基体シート１の片面に、着色剤と無機フィラーにより着色されている溶融押し出し樹脂層２を設け、さらに疑似接着層３、粘着剤層若しくは接着剤層４を設けた状態で、ＪＩＳ  Ｐ  ８１４９：２０００に規定される不透明度が９０％以上であることを特徴とする請求項１に記載の封緘葉書用シールシート。
【請求項３】
封緘葉書用シールシートを視認可能な情報を記録した官製葉書表面に貼付し、裏面から照度１０００ｌｘの光源で透かした場合であっても、その情報を視認することが不可能であることを特徴とする請求項１または請求項２のいずれか１項に記載の封緘葉書用シールシート。
【考案の詳細な説明】
【技術分野】
【０００１】
本考案は封緘葉書シール用シートに関するものである。さらに詳しくは、葉書の表面に設けられた視認可能な情報部分に貼付し、その情報を隠蔽するための機能と、途中で開封されたか否か判断できる機能を有し、隠蔽したシートの上にインクジェット記録若しくは電子写真方式で記録することが可能な封緘葉書シール用シートに関するものである。
【背景技術】
【０００２】
個人情報保護法の制定に伴い、封書に代わる「封緘葉書」や「シール付き郵便葉書」が情報の保護を目的に多方面で使用されている。このような用途においては、機密性を要する内容が表面から判読されないようにするための工夫と、他人が途中で開封したか否か判断できるような工夫が必要となる。またこの様な用途として使用される封緘葉書用シールシート上に宛先や広告などの機密性を要しない情報を少量ずつ記録する用途があり、その記録方法もインクジェット方式、電子写真方式等といった汎用性の高いオンデマンドの記録方法を使用する場合が多く、それらの用途に適した構成とする必要がある。その一例として特許文献１には、基体シートの片面に、溶融押し出し樹脂層を設け、さらに疑似接着層、粘着剤若しくは接着剤層、必要に応じて剥離シートを設けた封緘葉書用シールシートが提案されている。この考案による情報保護方法を用いることで、表面から判読されないようにするための工夫と、他人が途中でシールを開封したか否かを判断できる工夫がされている。
【０００３】
このシールシートの表面に、機密性を要しない情報を記録する態様を適用した場合、特にインクジェットによる記録が行われたような場合には、輸送途中に雨水に触れる可能性があるため、基体シートからインクが流出しないように耐水化させることが必要となる。
【０００４】
特許文献１では葉書面において、個人情報などの秘匿すべき情報を外部から視認することを防止する目的で、封緘葉書用シールシートを使用して、秘匿すべき情報の上に貼り付けることが行われてきた。このような従来の封緘葉書用シールシートは基体シートの外面に手書きでの記載は容易であるが、インクジェット方式や電子写真方式といったオンデマンドの汎用性の高い印刷方法に対応したものではなく、基体シートの外面を有効に活用できていない点が問題であった。
【０００５】
【特許文献１】実開平３−２０１７９号公報
【考案の開示】
【考案が解決しようとする課題】
【０００６】
本考案ではインクジェット若しくは電子写真方式で記録可能な基体シートを使用するため、封緘している面の上に汎用性の高い印刷方法で情報を記録可能であり、また機密性を要する葉書の内容を受取人以外の第三者が判読できず、途中で開封されたか否か判断することができる、という優れた特長を有する封緘葉書用シールシートを提供することを目的とする。
【課題を解決するための手段】
【０００７】
すなわち、本考案の請求項１に係る考案は、基体シート１の片面に、着色剤と無機フィラーにより着色されている溶融押し出し樹脂層２を設け、さらに疑似接着層３、粘着剤層若しくは接着剤層４、必要に応じて剥離シート５を設けた封緘葉書用シールシートにおいて、インクジェット若しくは電子写真方式で記録可能なことを特徴とする封緘葉書用シールシートである。
【０００８】
すなわち、本考案の請求項２に係る考案は、基体シート１の片面に、着色剤と無機フィラーにより着色されている溶融押し出し樹脂層２を設け、さらに疑似接着層３、粘着剤層若しくは接着剤層４を設けた状態でＪＩＳ  Ｐ  ８１４９：２０００に規定される不透明度が９０％以上であることを特徴とする請求項２に記載の封緘葉書用シールシートである。
【０００９】
すなわち、本考案の請求項３に係る考案は、封緘葉書用シールシートを視認可能な情報を記録した官製葉書表面に貼付し、裏面から１００ｌｘの光源で透かしたとしても、その情報部分を視認することが不可能であることを特徴とする請求項２に記載の封緘葉書用シールシートである。
【００１０】
次に本考案の構成例を添付図面に基づき詳細に説明する。第１図は本考案の封緘葉書用シールシートの一構成例を示す一部拡大断面図で、１はインクジェット若しくは電子写真方式で記録可能な基体シート、２は着色された溶融押し出し樹脂層、３は疑似接着層、４は粘着剤層若しくは接着剤層、５は剥離シートを示す。第２図は本考案の封緘葉書用シールシートにおける別の構成例を示す一部拡大断面図で、１はインクジェット若しくは電子写真方式で記録可能な基体シート、２は着色された溶融押し出し樹脂層、３は疑似接着層、６は感熱接着剤層を示す。第３図は図１で示された本考案のシールシートを葉書７の表面に貼りあわせた後、その一部を剥離した状態の一例を示す一部拡大断面図で、疑似接着層３の層内で剥離されていることを示している。
【００１１】
基体シート１としては坪量３０〜１５０ｇ／ｍ２、好ましくは５０〜９０ｇ／ｍ２のインクジェット若しくは電子写真方式で記録可能なシートが使用される。基体シート１の塗工層は塗布量が０．１〜５．０ｇ／ｍ２であることが好ましく、その成分の例としては有機白色顔料を３０〜１００質量％、耐水化剤を０〜７０質量％とすると好ましい。基体シート１の塗工層の塗布量が０．１ｇ／ｍ２以下であるとインクジェット記録に対して不適となり、特にインク耐水性が乏しくなる。５．０ｇ／ｍ２以上になると必要量を明らかに超えるために好ましくない。また、有機白色顔料が３０質量％以下になると顔料インクジェットプリンターの発色が低下するため好ましくない。有機白色顔料が１００質量％であっても塗工層を形成するものを選択することを条件として使用することができる。ここで有機白色顔料としては、例えばカチオン性アミン樹脂とスチレンーアクリル酸共重合体を反応させて得られる白色顔料が挙げられるが、もちろんこれらに限定されるものではない。耐水化剤としては、例えば、ポリアミンエピクロルヒドリン、ポリアリルアミン、ポリジメチルアンモニウムクロリド、ポリアミジン、またはこれらとポリビニルアルコールとの反応物等が使用できるが、もちろんこれらに限定されるものではない。
【００１２】
着色された溶融押し出し樹脂層２は熱可塑性樹脂、例えばポリエチレン、またはポリプロピレンといった樹脂に染料や顔料といった着色剤および／またはクレー、二酸化チタン等の無機フィラーを混入し、基体シート表面に溶融押し出し塗工することにより形成される。この際必要に応じ、酸化防止剤のような添加剤を併用してもかまわない。着色剤および／または無機フィラーの熱可塑性樹脂に対する添加量は、基体シートの種類、溶融押し出し樹脂層の色相により異なるが、葉書表面に貼付した際に、葉書表面の秘匿情報が隠蔽されるだけの不透明度が得られるようにすることが必要である。着色樹脂層の厚みは１０〜３０μｍ、好ましくは１５〜２５μｍに形成される。着色樹脂層の厚みが１０μｍ以下であると溶融押し出し樹脂層を安定して形成させることが困難となり、３０μｍ以上では秘諾情報の隠蔽に必要な厚さを明らかに上回るので好ましくない。
【００１３】
さらに溶融押し出し樹脂層２に疑似接着層を形成するが、この層は着色樹脂層と溶融押し出し樹脂層２とが強固に接着しないようにするための考慮、または粘着剤層と強固に接着させないための考慮、または疑似接着剤層の層間で剥離するような考慮がなされている。つまり葉書の表面に貼り合わせた際に剥離が疑似接着層のどちらか一方の界面かまたは層間で剥離が起こるようにすればよい。このようにすることで、秘匿すべき内容が記載された葉書の表面に貼付された封緘葉書用シールシートを、悪意の第三者が剥がした際、一度剥がされた封緘葉書用シールシートは再シールできなくなる。そのため、このような第三者への秘諾内容漏洩を防止することが可能となる。本考案では通常使用される接着剤にシリカ、炭酸カルシウムのような無機フィラー、有機フィラー、微細なガラスビーズ、離型剤、ワックス、発泡剤等を混入し接着力を低下させたものを疑似接着層として使用することができる。
【００１４】
疑似接着層３の塗工厚さは３〜２０μｍ好ましくは５〜１０μｍの範囲で設けられる。３μｍ以下であると溶融押し出し樹脂層２上に擬似接着層を安定して形成させることが困難となり、２０μｍ以上になると必要な厚さを明らかに上回るので好ましくない。疑似接着層３は全面に設けても、部分的に設けてもかまわない。
【００１５】
本考案ではさらに疑似接着層３の上に粘着剤層若しくは接着剤層４が設けられる。この層は葉書の上に設けられた秘匿情報面に強固に接着するために設けるものであり、さらに粘着剤使用の場合は剥離シートを積層し、本考案の封緘葉書用シールシートは完成する。
【００１６】
本考案で得られる該封緘葉書用シールシートの使用方法は、該封緘葉書用シールシートを剥離シートから剥がし、たとえば年金の通知内容を印刷した葉書表面に該封緘葉書用シールシートを貼付し、その表面に宛名を書いて発送すればよい。また接着剤層として感熱接着剤を用いた構成の場合には、葉書を接着剤面に当て、アイロン等の加熱体で加熱し接着すればよい。また接着剤層として再湿接着剤を用いた構成の場合には、水で接着剤面を濡らし葉書と接着すればよい。このような作業後に発送された葉書は、受取人が該封緘葉書用シールシートを、該封緘葉書用シールシート内部の疑似接着層の界面または層内で容易に剥離することができ、葉書表面に秘匿された印刷内容を読むことが可能となる。
【００１７】
本考案の封緘葉書用シールシートは葉書に貼付後、一度剥離されると疑似接着層は粘着性が無いので、再貼付することができず、受取人に届けられるまでに途中で葉書が開封されたか否かが判断できるといった特徴がある。また剥離を容易にするために、封緘葉書用シールシートの周辺部にミシン目を入れたり、またその一部に切込みを入れたり、あるいは一部に未接着部を設けたりすることも行われる。
【００１８】
基体シート１の片面に、着色剤と無機フィラーにより着色されている溶融押し出し樹脂層２を設け、さらに疑似接着層３、粘着剤若しくは接着剤層４を設けた状態でＪＩＳ  Ｐ  ８１４９：２０００に規定される不透明度が９０％以上好ましくは９５％以上とすることにより、葉書の秘匿内容を読み取ることは極めて困難となる。不透明度は剥離シート以外の封緘葉書用シールシート全体の構成により制御されるが、基体シート１および溶融押し出し樹脂層２の厚さや着色剤や無機フィラーの割合によって制御することが好ましい。
【００１９】
封緘葉書用シールシートを、視認可能な秘匿情報を記録した官製葉書表面に貼付し、裏面から照度１０００ｌｘ、好ましくは５０００ｌｘの光源で透かした場合、その秘匿情報部分を視認不可能な程度の遮光性とすることにより、葉書の秘匿情報を読み取ることは極めて困難となる。遮光性は剥離シート以外のシート全体の構成により制御するが、基体シート１および溶融押し出し樹脂層２の厚さや着色剤や無機フィラーの割合によって制御することが好ましい。
【考案の効果】
【００２０】
本考案は、インクジェット若しくは電子写真方式で記録可能な基体シート１を使用するため、封緘している面の上に汎用性の高いオンデマンド印刷方法で情報を記録可能であると同時に、封緘を除去した後も基体シート１上の記録内容が保存され、さらには葉書の秘匿内容を受取人以外の第三者が判読することができず、途中で開封されたか否かを判断することができるという優れた特長を有している。
【実施例】
【００２１】
［実施例１］
以下本考案の封緘葉書用シールシートを実施例で説明する。基体シートとしては８４ｇ／ｍ２の上質紙を使用し、この表面に白色有機顔料（商品名「ＣＷ−６」、御国色素（株）製造）１００質量部を、エアナイフコーターを使用して１ｇ／ｍ２塗工した塗工層を設けた。この基体シートの裏面に着色樹脂層として低密度ポリエチレン（商品名「ユカロン」、三菱油化（株）製造）１００質量部に着色剤（商品名「ポリマックスＥＫ６３６３ブラウン」、山陽化工（株）製造）３０質量部と二酸化チタン（商品名「Ｒ−２５」  堺化学（株）製造）１０質量部を混合したものを融点温度（３２０℃）にて溶融押し出し塗工法により２０μｍの厚みで設けた。着色樹脂層の上に疑似接着層として、アクリル系樹脂（商品名「ＰＳ−８０３」日本化工塗料（株）製造）１００質量部に対して粒子径１〜２μｍの合成シリカ（商品名「Ｎｉｐｓｉｌ  Ｅ−２２０」東ソー・シリカ（株）製造）を４０質量部混合した塗料を製造し、乾燥後の厚さで厚み５μｍとなるように塗工した。ついで、この上に粘着剤層としてアクリル系粘着剤（商品名「Ｔ−２０７」、サイデン化学（株）製造）を乾燥後の厚さで厚み１０μｍとなるように塗工し、さらに剥離紙（商品名「ＫＡ−８５Ｇ」リンテック（株）製造）を裏打ちし、封緘葉書用シールシートを製造した。
【００２２】
［実施例２］
基体シート１に塗工する塗料を、白色有機顔料（商品名「ＣＷ−６」、御国色素（株）製造）、６０質量部、ポリアミン樹脂（商品名「ＷＳ４０２４」、星光ＰＭＣ（株）製造）２０質量部、ポリアミジン樹脂（商品名「ＳＣ−７００Ｍ」ハイモ（株）製造）２０質量部を分散混合した以外は、実施例１と同様にして封緘葉書用シールシートを製造した。
【００２３】
［比較例１］
基体シート１に塗工する塗料を、ポリアミン樹脂（商品名「ＷＳ４０２４」、星光ＰＭＣ（株）製造）５０質量部、ポリアミジン樹脂（商品名「ＳＣ−７００Ｍ」ハイモ（株）製造）５０質量部を分散混合した以外は、実施例１と同様にして封緘葉書用シールシートを製造した。
【００２４】
［比較例２］
着色樹脂層の厚さを３μｍとした以外は、実施例１と同様にして封緘葉書用シールシートを製造した。
【００２５】
［比較例３］
擬似接着層を省いた以外は、実施例１と同様にして封緘葉書用シールシートを製造した。
【００２６】
［比較例４］
粘着剤層をアクリル樹脂（商品名「エマポール Ｒ−１４０」一方社油脂工業（株）製造）とした以外は、実施例１と同様にして封緘葉書用シールシートを製造した。
【００２７】
［秘匿印刷面の判別性］
官製葉書の表面に黒色インキを使用して、インクジェットプリンターを使用したテストパターンを印刷し、この上に実施例１〜２、および比較例１〜４で製造した封緘葉書用シールシートを貼り合わせ、裏面から１０００ｌｘの光源を使用してテストパターンを目視にて観察し、秘匿印刷面の判別性を評価した。全く内容を判別できないものを○、判別が可能なものを×とし、○を合格とした。
【００２８】
［剥離時の剥離性］
実施例１〜２、および比較例１〜４で製造した封緘葉書用シールシートを、官製葉書に貼り合わせ、２ｋｇの金属ローラーで２往復させた後、封緘葉書用シールシートを葉書から剥離させた際の剥離性能を目視で評価した。問題なく剥離可能なものを○、剥離ができないもの、あるいは剥離の際に紙剥けが生じるものを×とし、○を合格とした。
【００２９】
［剥離後の再接着性］
実施例１〜２、および比較例１〜４で製造した封緘葉書用シールシートを、官製葉書に貼り合わせ、剥離時の剥離性試験が終了したサンプルを再度、剥離面同士を合わせて圧着させようとした際に、問題なく接着可能なものを×、接着ができないものを○とし、○を合格とした。
【００３０】
［インクジェット適性］
実施例１〜２、および比較例１〜４で製造した封緘葉書用シールシートを、インクジェットプリンター（商品名「ＰＩＸＵＳ  ＢＪ  Ｓ７００」（キヤノン（株）製造）でシアン・マゼンタ・イエロー・ブラックのベタ印刷を行い、１晩放置したサンプルについて次のように耐水性を評価した。前記印刷後のサンプルを５秒間水に浸漬した後、１１０℃で乾燥させたサンプルのインクにじみを目視にて観察した。少量のにじみがあるものを○とし、まったくにじみの無いものを◎、多くのにじみがあるものを×とし、◎および○を合格とした。
【００３１】
［電子写真印刷適性］
実施例１〜２、および比較例１〜４で製造した封緘葉書用シールシートを、電子写真方式プリンター（商品名「ＬＰ−１４００」（セイコーエプソン（株）製造）で黒のベタ印刷を行い、その黒ベタ部分を指で擦りトナーの定着性能を確認した。トナーはがれの無いものを○、トナーはがれがあるものを×とし、○を合格とした。
【００３２】
以上の評価結果を表１に示した。
表１
0003123246.tif 000003
【００３３】
表１の結果から、実施例で製造された封緘葉書用シールシートは、その表面にインクジェットや電子写真といったオンデマンド印刷適性を有し、秘匿された印刷面を透かしてみても内容を確認することができないだけの隠蔽性を有し、封緘葉書用シールシートを剥離した際には確実に剥離可能で、しかも剥離後は再接着が不可能である、という本考案の目的をすべて達成できるものであった。これに対して比較例１は発色濃度が低くインクのにじみが多くインクジェット適正に問題があった。比較例２は秘匿された印刷面を透かしてみても内容を確認可能であったため、秘匿印刷面の判別性に問題があった。比較例３は粘着層と着色樹脂層の間での接着力が強いため、封緘葉書用シールシートのみを容易には剥離できるものではなく、葉書の紙むけが生じた。比較例４では粘着層の粘着力が他に比べて弱く、剥離後に接着剤が封緘葉書用シールシート側に残るため、再度接着が可能であった。
【産業上の利用可能性】
【００３４】
個人情報保護法の制定に伴い、個人の住所や電話番号はもとより、そこに付随する情報を保護する目的で使われる封緘葉書用シールシートとして使用可能で、かつシールシートの露出面を商用目的や広告等として効果的に活用するための手段として本考案は有効に使用できる。
【図面の簡単な説明】
【００３５】
【図１】：本考案による封緘葉書用シールシートの構成例の一部拡大断面図である。
【図２】：本考案による封緘葉書用シールシートの他の構成例の一部拡大断面図である。
【図３】：図１のシールシートを葉書から一部剥離した際の一部拡大断面図である。
【符号の説明】
【００３６】
１    インクジェット若しくは電子写真方式で記録可能な基体シート
２    着色された溶融押し出し樹脂層
３    疑似接着層
４    粘着剤層（若しくは、接着剤層の場合あり）
５    剥離シート
６    感熱接着剤層
７    葉書
【図１】
0003123246.tif 000004
【図２】
0003123246.tif 000005
【図３】
0003123246.tif 000006